【事件の表示】
　平成　９年特許願第１８５０４７号「情報処理装置及び方法」拒絶査定に対する審判事件［平成１０年　４月１４日出願公開、特開平１０−　９７５３２］について、次のとおり審決する。
【結　論】
　本件審判の請求は、成り立たない。
【理　由】
１．手続の経緯・本願の発明
　本願は、昭和６２年１１月１６日に出願した特願昭６２−２８９１６４号の一部を平成９年７月１０日に新たな特許出願としたものであって、その請求項１に係る発明は、平成１１年１１月３０日付けの手続補正によって補正された明細書と図面の記載からみて、その特許請求の範囲に記載されたとおりのものと認める。
「【請求項１】　
　文字情報を表示手段に表示する情報処理装置であって、
　文字情報と属性情報とを記憶する記憶手段と、
　検索する属性情報である検索属性情報を入力する検索情報入力手段と、
　置換する属性情報である置換属性情報を入力する置換情報入力手段と、
　検索を指示する検索指示手段と、
　前記検索指示手段の指示に基づき、前記記憶手段に記憶された情報の中から、前記検索情報入力手段で入力された検索属性情報の開始情報と終了情報とを検索する検索手段と、
　前記検索手段により検索された開始情報と終了情報とで挟まれた文字情報を、前記表示手段において他の文字情報と異なる表示形態で表示する表示制御手段と、
　置換を指示する置換指示手段と、
　前記置換指示手段の指示に基づき、前記検索された開始情報と終了情報とを、前記置換属性情報の開始情報と終了情報とに、それぞれ置換する置換手段と、
　前記表示制御手段により異なる表示形態で表示された文字情報を、前記置換手段により置換された置換属性情報に基づく表示形態で表示する表示更新手段とを有することを特徴とする情報処理装置。」
　
２．引用例
　これに対し、前置審査において引用された、本願の出願前に国内において頒布された刊行物である特開昭６２−２４３０６４号公報（以下、「引用例１」という。）の「本発明の目的は、キャラクターのみならずオペレーターが入力可能でまた画面に表示可能である編集コードをも検索・置換可能である文書作成装置を提供することにある。」（公報第２頁右上欄第３〜６行）、「本発明ではオペレータがキーボードから入力可能でありかつ画面に表示できる編集コードをも可能にした。Search キー５４１を押し、検索・置換機能を選択すると、第６図に示すようなメニューが画面に表示される。このメニューにおいて、２行目の“Search Code”では、検索すべき編集コード又はキャラクターを指示する。３行目の“End Search at”では、検索すべき範囲を指示する。ここでは、そのページの先頭かまたは終端、または、その文書の先頭か又は終端を指示する。先頭にはSearch Start Code を、終端にはSearch End Code を挿入する。４行目の“Replace Code”では、置換すべき編集コードまたはキャラクターを指定し、その位置の前にReplace Code を挿入する。」（同第４頁右下欄第１９行〜第５頁左上欄第１４行）、「このメニューにおいて検索する編集コードまたはキャラクターと置換する編集コードまたはキャラクターを指示しておき、Enter キー５４５を押下し検索を行うと、カーソルのポインターが前記の編集コードまたはキャラクター位置へ移動し、前記の編集コードまたはキャラクターを指示された置換する編集コードまたはキャラクターに置き換える。この検索・置換機能においては、以下の場合が可能である。（中略）２）指示された編集コードまたはキャラクターを検索し、指示された編集コードまたはキャラクターに置換する。」（同第５頁右上欄第６〜２０行）、「本実施例の検索・置換機能を用いると、以下に記すような高度な編集が可能になる。（中略）２）センタリングキー５２５の入力により中心揃えで書かれたテキストを全て右マージン揃えに変更することは、センタリングコードを検索し、そのすべてをライトフラッシュコードに置換することにより実行できる。」（同第５頁左下欄第９〜１９行）、「本実施例の検索・置換機能を用いた編集の一例を第７図と第８図に示す。第７図に示す画面には、１６の文からなる１つの文書が表示されている。各文は、左側に１０文字のマージンをあけて、７行目から１６行目までに入力されている。各文は、最後の文を除いて、“．”（ピリオド）で終了している。いま、検索・置換のメニューにおいて、置換すべき編集コードとして、“．”（ピリオド）を指定し置換すべき編集コードとして、“改行コード、なかてんコード、スペースコード”を指定したとする。そして、実行キー５４５を押下すると、第８図に示すように、各文はそれぞれ１行に、先頭に“・　”を挿入して表示される。なお、第８図から第７図の文書に逆に編集することも可能である」（同第６頁右下欄第７行〜第７頁第１行）の記載、これらの記載中の前記同第６頁右下欄第７行〜第７頁第１行の記載からみて、第８図の記載の編集形態は、第７図に記載の編集形態でＣＲＴに表示された１６の文からなる１つの文書が表示された例が記載されているが、上記した「３行目の“End Search at”では、検索��べき範囲を指示する。ここでは、その頁の先頭かまたは終端を指示する。先頭にはSearch Start Code を、終端にはSearch End Code を挿入する。４行目の“Replace Code”では、置換すべき編集コードまたはキャラクターを指定し、その位置の前にReplace Code を挿入する。」の記載を加味してこれら第７及び８図の記載を考察すれば、第７図に記載の編集形態の１６の文から、例えば、先頭から８の文までを検索・置換の範囲として指定すれば、先頭から８の文までが検索され、その検索された検索編集コードを置換編集コードに置換し、該置換編集コードと関連した文字情報を第８図の編集形態で表示し、残りの８の文は第７図の編集形態のままであるから、引用例１に記載の文書処理装置が検索手段により検索された検索編集コードと関連した文字情報を、ＣＲＴにおいて他の文字情報と異なる編集形態で表示する表示制御手段と、検索された検索編集コードを置換編集コードに置換することにより、置換編集コードに基づいて置換する前と異なる編集形態で表示させる表示更新手段を有することは明らかである。
　したがって、引用例１には、
　キャラクターのみならずオペレーターが入力可能でまた画面に表示可能である編集コードをも検索・置換可能である文書作成装置を提供することを目的とし、その目的を達成する構成として、「画面に文字情報を表示するＣＲＴと、文字情報を検索すべき編集コードを指示する検索編集コード入力手段と、置換すべき編集コードを指示する置換編集コード入力手段と、Enterキーを押下して検索の指示を行う検索指示手段と、前記検索指示手段の押下により、検索編集コード入力手段で入力された検索編集コードを検索する検索手段と、この検索手段により検索された検索編集コードと関連した文字情報を、ＣＲＴにおいて他の文字情報と異なる編集形態で表示する表示制御手段と、Search Start Code とSearch End Code で挟まれた検索編集コードを前記検索手段により検索し、検索された検索編集コードを置換編集コードに置換することにより、置換編集コードに基づいて置換する前と異なる編集形態で表示させる表示更新手段とを有する文書処理装置」が記載されているものと認められる。
　また、前置審査において引用された、本願の出願前に国内において頒布された刊行物である特開昭６２−２０３２２７号公報（以下、「引用例２」という。）の「各々のキャラクタ入力時に、ＳＭ−ＦＬＧ１２、１３、１４を参照して、各モードがＳＣ−Ｐ１７の指すＳＣ−ｂｕｆ２１の属性を記憶するアトリビュート領域（以後ａｔｔｒと略する）にビットフラグとして同時にセットされる。」（公報第４頁右上欄第９〜１４行）及び「本実施例においては、サーチ機能のみについて述べたが、サーチ機能に付随する置換機能、即ちサーチ＆リプレイス機能についても同様に考えることができる。リプレイス後の文字又は文字列指定時に、文字又は文字列のみならず、文字又は文字列の属性モードの指定も可能となる。また、本実施例では文字又は文字列の属性モードをボールド、アンダーラインとして説明したが、それに限るものではなく、センタリング、インデンテーション等においても同様である。また、本実施例ではアルファベッドの大文字と小文字について説明したが、本発明からはコードの変換あるいは置換等によりカッコに囲まれた不特定の文字列をサーチすることも考えられるし、他の種々のサーチ機能をも作り出せる。更に、前者の属性の指定と後者の範囲の拡張とを組み合わせても良い。」（同第６頁左下欄第１２行〜右下欄第１２行）の記載及び第１〜３図の記載からみて、
　引用例２には、「文字列に対応してその文字列の属性がアトリビュート領域に記憶されており、ＣＲＴにおいてその文字列の属性で文字列を表示する手段と、サーチ＆リプレイス機能（例えば、アンダーラインからボールドにリプレイスすること）によりサーチしたい文字列を見つけ、ＣＲＴにおいてその文字列の属性をリプレイスしたい属性で文字列を変更して表示する手段とを有する文書処理装置、及び、属性モードとしてボールド、アンダーラインに限らず編集コードも用いられること」が記載されている。
　
３．本願の請求項１に係る発明と引用例１に記載された発明との対比
　そこで、本願の請求項１に係る発明（前者）と引用例１に記載された発明（後者）とを対比すると、
　後者の「ＣＲＴ」、「検索編集コード」、「検索編集コード入力手段」、「置換編集コード」、「置換編集コード入力手段」及び「文書処理装置」は、前者の「表示手段」、「検索属性情報」、「検索情報入力手段」、「置換属性情報」、「置換情報入力手段」及び「情報処理装置」に相当し、そして、後者の文書処理装置は、文字情報と編集コードとを記憶する記憶手段を有すること、そして、編集コードは、属性情報の一種であること、又、該文書処理装置は、置換を指示する置換指示手段を有することは明らかであるから、
　両者は、「文字情報を表示手段に表示する情報処理装置であって、検索する属性情報である検索属性情報を入力する検索情報入力手段と、置換する属性情報である置換属性情報を入力する置換情報入力手段と、検索を指示する検索指示手段と、前記検索指示手段の指示に基づき、前記記憶手段に記憶された情報の中から、前記検索情報入力手段で入力された検索属性情報を検索する検索手段と、この検索手段により検索された検索属性情報と関連した文字情報を表示する表示制御手段と、置換を指示する置換指示手段と、前記表示制御手段により表示された文字情報を前記置換指示手段により置換された置換属性情報に基づいて表示する表示更新手段とを有することを特徴とする情報処理装置」の点で一致し、
　前者が検索属性情報の開始情報と終了情報の２つの情報を検索し、その検索された開始情報と終了情報とで挟まれた文字情報を、表示手段において他の文字情報と異なる表示形態で表示する表示制御手段と、この表示制御手段により異なる表示形態で表示された文字情報を、前記置換手段により置換された置換属性情報に基づく表示形態で表示する表示更新手段とを有するのに対して、後者は、検索属性情報の開始情報と終了情報の２つの情報を検索するのではなく、検索範囲の開始情報と終了情報を検索し、その検索範囲にある検索属性情報の各１つの情報を検索し、その各１つの情報に関連する文字情報を、他の文字情報の編集と異なる編集形態で表示する表示制御手段と、前記異なる編集形態で表示された文字情報を、置換手段により置換された置換属性情報に基づく編集形態で表示する表示更新手段を有する点で相違している。
　上記した相違点を換言すれば、前者がある属性情報を有するも文字情報を他の属性情報に置換するのに、該文字情報を検索属性情報の開始と終了情報の２つの情報を検索し、検索されたそれらの情報を置換属性情報に置換することにより該文字情報の表示形態を更新するのに対して、後者は、ある編集コードを有する文字情報を他の編集コードに置換するのに、検索範囲の開始情報を検索し、その後に編集コードを終了情報が検索されるまで検索を行い、その検索編集コードを置換編集コードに置換することにより、編集形態を更新する点で相違していると言い得る。
　
４．当審の容易性の判断
  後者は、前者の情報処理装置と同一の技術分野に属するものであり、そして、その課題も前者と同じものであり、また、上記したように、後者には、Search Start Code（前者の「開始情報」に相当）とSearch End Code（前者の「終了情報」に相当）の２つの情報をサーチすることが記載されている。更に、引用例２に記載の発明の属する技術分野及びその課題も前者と同じものであり、また、上記したように、引用例２には、「文字列に対応してその文字列の属性がアトリビュート領域に記憶されており、ＣＲＴにおいてその文字列の属性で文字列を表示する手段（前者の「表示制御手段」に相当）と、サーチ＆リプレイス機能（例えば、アンダーラインからボールドにリプレイスすること）によりサーチしたい文字列を見つけ、ＣＲＴにおいてその文字列の属性をリプレイスしたい属性で文字列を変更して表示する手段（前者の「表示変更手段」に相当）とを有する文書処理装置、及び、属性モードとしてボールド、アンダーラインに限らず編集コードも用いられること」が記載されている。これらの記載から、当業者であれば、後者の属性コードに換えてボールド、アンダーライン等の属性情報、表示制御手段及び表示変更手段を採用することに困難性は認められないし、その際に、ボールド、アンダーライン等の属性情報を検索するのには、その属性情報を付与する文字情報の開始と終了の位置を特定する必要があることは明らかであり、その位置の特定の仕方として後者の開始情報と終了情報を用いることは、当業者が容易に推考できたことと認める。
　そして、前者の効果は、後者及び引用例２に記載の発明の効果の範囲以内のものである。
　
５．むすび
　したがって、本願の請求項１に係る発明は、引用例１及び２に記載された各発明に基づいて、当業者が容易に発明をすることができたものであるから、特許法第２９条第２項の規定により特許を受けることができない。
　よって、結論のとおり審決する。